(57)【要約】      （修正有）【課題】輸送時におけるいちごの傷みを防止できるパック収納用の内装材を提供する。【解決手段】パックＰを収納する箱体１に内装される厚紙製内装材２において、パックＰの収納空間を区画する中枠部２１と、この中枠部２１から下方へ折り曲げられる脚部２２と、パックＰの側面に沿う添当部２３とを連設し、収納空間に挿入したパックＰのフランジを持ち上げて、パックＰを宙吊り状態で支持する。箱体１の底壁１１とパックＰの底面との間に隙間ができ、添当部２３でパックＰの水平移動も抑制されて、輸送中の衝撃が緩和される。【選択図】図３
2005029257.tif 000002
【特許請求の範囲】
【請求項１】
パックを収納する箱体に内装される厚紙製内装材において、パックの収納空間を区画する中枠部と、この中枠部から下方へ折り曲げられる脚部と、パックの側面に沿う添当部とを連設し、収納空間に挿入したパックのフランジを持ち上げて、パックを宙吊り状態で支持するようにしたことを特徴とするパック収納用内装材。
【請求項２】
前記添当部の側縁に、基端へかけて広がる丸みを設けたことを特徴とする請求項１に記載のパック収納用内装材。
【請求項３】
前記中枠部の中央部分に、Ｖ字形に折り曲げた支持片を差し込んだことを特徴とする請求項１又は２に記載のパック収納用内装材。
【請求項４】
前記添当部の先端縁に突起を設け、この突起が箱体の底壁に形成した係止穴に係合するようにしたことを特徴とする請求項１乃至３のいずれかに記載のパック収納用内装材。
【発明の詳細な説明】
【技術分野】
【０００１】
この発明は、いちごパック等を箱詰めして運搬する際に使用するパック収納用内装材に関するものである。
【背景技術】
【０００２】
一般に、いちごパックを運搬する際には、図５に示すように、トレー状の箱体５１の内部に切溝で噛み合う十字状の仕切５２，５３をセットし、仕切５２，５３で形成された各区画にパックＰを収納するようにしている。
【０００３】
この箱体５１は、底壁５４の周囲に連設した側壁５５，５６のうち、一対の側壁５５から延びる折込片５７を、二重構造とされた他対の側壁５６で抱き込むことにより保形される。
【発明の開示】
【発明が解決しようとする課題】
【０００４】
しかしながら、上記のような包装では、パックＰを箱体５１の底壁５４上に直接置くため、輸送時の衝撃が緩和されることなくパックＰのいちごに作用し、いちごが傷みやすいという問題があった。
【０００５】
そこで、この発明は、輸送時におけるいちごの傷みを防止できるパック収納用の内装材を提供することを課題とする。
【課題を解決するための手段】
【０００６】
上記課題を解決するため、この発明では、パックを収納する箱体に内装される厚紙製内装材において、パックの収納空間を区画する中枠部と、この中枠部から下方へ折り曲げられる脚部と、パックの側面に沿う添当部とを連設し、収納空間に挿入したパックのフランジを持ち上げて、パックを宙吊り状態で支持するようにしたのである。
【０００７】
このようにパックを宙吊り状態で支持すると、箱体の底壁とパックの底面との間に隙間ができ、また、添当部でパックの水平移動も抑制されるので、輸送中の衝撃が緩和され、パックに詰められたいちごの傷みが防止される。
【０００８】
なお、前記添当部の側縁に、基端へかけて広がる丸みを設けておくと、添当部が反発してパックの側面に押し付けられ、パックの水平移動が確実に阻止される。
【０００９】
また、前記中枠部の中央部分に、Ｖ字形に折り曲げた支持片を差し込んでおくと、積上時における箱体の底壁の撓みが抑制され、いちごが保護される。
【００１０】
さらに、前記添当部の先端縁に突起を設け、この突起が箱体の底壁に形成した係止穴に係合するようにすると、箱体にセットする際に、位置決めが容易になり、箱体に対して内装材が安定し、中枠部で区画されたパック収納部へのパックの挿入も容易になる。
【発明の効果】
【００１１】
以上のように、この発明に係る内装材を箱体にセットして、パックを宙吊り状態で支持すると、箱体の底壁とパックの底面との間に隙間ができ、また、添当部でパックの水平移動も抑制されるので、輸送中の衝撃が緩和され、パックに詰められたいちごの傷みが防止される。
【発明を実施するための最良の形態】
【００１２】
以下、この発明の実施の形態を添付図面に基づいて説明する。
【００１３】
ここで例示する包装容器は、いちごパックの運搬に使用する段ボール製のものであり、図１に示すような箱体１及び内装材２のブランクから構成される。内装材２には、中央に罫線が入れられた支持片３が付属する。
【００１４】
箱体１のブランクでは、底壁１１の周囲に各一対の側壁１２及び端壁１３が連設され、側壁１２の先端縁には内側板１４が連設されている。側壁１２及び内側板１４の両側縁には折込片１５，１６が連設され、端壁１３の先端縁には桟板１７が連設されている。桟板１７の両端には差込片１８が設けられ、側壁１２と内側板１４の境界部には差込穴１９が設けられている。底壁１１の中央寄りには、４個の係止穴１１ａが形成されている。
【００１５】
内装材２のブランクでは、十字状の中枠部２１の両端に脚部２２が連設され、脚部２２と中枠部２１の対向縁には添当部２３が連設されている。添当部２３の内側縁には、基端へかけて広がる丸みが設けられ、中枠部の中央部分には、Ｖ字形の差込穴２４が設けられている。中枠部２１に繋がる添当部２３の先端縁には、突起２３ａが設けられている。
【００１６】
上記箱体１のブランクを組み立てるには、図２に示すように、底壁１１から側壁１２を起立させ、その内側に内側板１４を重ね、折込片１５，１６を内側へ折り曲げた後、端壁１３を起立させて、桟板１７を側壁１２の頂部に重ねるように水平に折り曲げ、差込片１８を差込穴１９に差し込む。
【００１７】
この箱体１に内装材２をセットするには、中枠部２１から脚部２２を下方へ折り曲げ、添当部２３も下方へ折り曲げて、脚部２２の外面が内側板１４の内面に沿うように、脚部２２を底壁１１に置き、突起２３ａを係止穴１１ａに係合させ、支持片３を中央の罫線に沿ってＶ字状に折り曲げ、差込穴２４に差し込む。
【００１８】
この状態において、内装材２の添当部２３は、基部側縁の丸みにより折目が反発して、中枠部２１で区画された各パック収納部の内側へ迫り出し、突起２３ａと係止穴１１ａの係合により、内装材２は箱体１に対し位置決めされて安定する。また、支持片３は、中央の折目の反発により差込穴２４から抜け止めされる。
【００１９】
そして、図３及び図４に示すように、四個のいちごパックＰを箱体１の各パック収納部に挿入すると、縦横に延びる中枠部２１と脚部２２とでパックＰのフランジが三方から持ち上げられ、パックＰは宙吊り状態で支持される。
【００２０】
この際、中央寄りの添当部２３は、突起２３ａが係止穴１１ａに係合して反発が抑制されているので、パックＰを容易に挿入でき、また、添当部２３は、係止穴１１ａの余裕により揺動可能となっているので、パックＰの側壁を膨らませるように詰められたいちごに過度の押圧力が作用することもない。
【００２１】
このようにパックＰを収納すると、箱体１の底壁１１とパックＰの底面との間に隙間ができ、また、内装材２の添当部２３がパックＰの側面に押し付けられてパックＰの水平移動も抑制されるので、輸送中の衝撃が緩和され、パックＰに詰められたいちごの潰れや、潰れた部分からの腐敗が防止される。
【００２２】
また、箱体１を積み上げたとき、上段側の底壁１１の撓みが下段側の支持片３で抑制されるので、パックＰから盛り上がったいちごの潰れも防止される。
【００２３】
ところで、上記実施形態では、内装材２の脚部２２及び添当部２３を罫線に沿って折り曲げるようにしているが、内装材２のブランクをプレス成形して、脚部２２及び添当部２３の折曲状態が維持されるようにしてもよい。
【図面の簡単な説明】
【００２４】
【図１】この発明に係る内装材と箱体のブランクを示す図
【図２】同上の組立状態を示す分解斜視図
【図３】同上の使用状態を示す斜視図
【図４】同上の端面方向断面図
【図５】従来の仕切をセットしたパック収納状態を示す斜視図
【符号の説明】
【００２５】
１  箱体
２  内装材
３  支持片
１１  底壁
１１ａ  係止穴
１２  側壁
１３  端壁
２１  中枠部
２２  脚部
２３  添当部
２３ａ  突起
【図１】
2005029257.tif 000003
【図２】
2005029257.tif 000004
【図３】
2005029257.tif 000005
【図４】
2005029257.tif 000006
【図５】
2005029257.tif 000007